(57)【要約】透過型回折格子は、第１斜面と第２斜面とを含む鋸歯状の第１表面と、平面形状の第２表面と、を備え、所定の入射角で前記第１表面の前記第１斜面に入射した光束が、前記第２斜面で反射し、前記第２表面から出射する。上記の所定の入射角は２０度以上８０度以下のいずれかの角度とすることが好ましい。また、入射角と回折角は等しいことが好ましい。
2017171072.tif 000002
【特許請求の範囲】
【請求項１】
第１斜面と第２斜面とを含む鋸歯状の第１表面と、
平面形状の第２表面と、
を備え、
所定の入射角で前記第１表面の前記第１斜面に入射した光束が、前記第２斜面で反射し、前記第２表面から出射する、
透過型回折格子。
【請求項２】
前記入射角は、前記第２表面の法線と入射方向のなす角度であり、
前記所定の入射角は、２０度以上８０度以下のいずれかの角度である、
請求項１に記載の透過型回折格子。
【請求項３】
前記光束が前記第２表面から出射する際の出射角は入射角と等しい、
請求項１または２に記載の透過型回折格子。
【請求項４】
前記第１斜面および前記第２斜面が前記第２表面となす角度をそれぞれα、β（いずれも鋭角）としたときに、下記式を満たす、
請求項１から３のいずれか１項に記載の透過型回折格子。
【数１】
2017171072.tif 000020
ただし、
θ０は前記光束の前記透過型回折格子への入射角、
ｎは前記透過型回折格子の屈折率、
【数２】
2017171072.tif 000021
θ５は前記光束の前記透過型回折格子の第２表面からの出射（回折）角、
Ｒは直角。
【請求項５】
前記光束は、前記第２斜面において全反射する、
請求項１から４のいずれか１項に記載の透過型回折格子。
【請求項６】
前記第２斜面には反射膜が設けられる、
請求項１から４のいずれか１項に記載の透過型回折格子。
【請求項７】
請求項１から６のいずれか１項に記載の透過型回折格子を備える光導波路。
【請求項８】
第１斜面と第２斜面とを含む鋸歯状の第１表面と、平面形状の第２表面と、を備える透過型回折格子の使用方法であって、
前記第１表面の前記第１斜面に光束を入射することによって、当該光束を、前記第２斜面で反射させ、前記第２表面から出射させる、
使用方法。
【請求項９】
第１斜面と第２斜面とを含む鋸歯状の第１表面と、平面形状の第２表面と、を備える透過型回折格子の設計方法であって、
前記第１斜面および前記第２斜面が前記第２表面となす角度をそれぞれα、β（いずれも鋭角）としたときに、
【数３】
2017171072.tif 000022
によって角度α、βを決定することを特徴とする設計方法。
ただし、
θ０は前記光束の前記透過型回折格子への入射角、
ｎは前記透過型回折格子の屈折率、
【数４】
2017171072.tif 000023
θ５は前記光束の前記透過型回折格子の第２表面からの出射（回折）角、
Ｒは直角、
ψは、第２斜面で反射した回折光の拡がり角度である。
【発明の詳細な説明】
【技術分野】
【０００１】
本発明は、透過型回折格子、光導波路、ならびに透過型回折格子の使用方法および設計方法に関する。
【背景技術】
【０００２】
近年、分光計測の分野において、広い波長範囲を同時に計測するためにエシェル分光法が広く利用されるようになった。エシェル分光法では、高次回折光を利用する高分散回折格子とプリズムや低分散の回折格子等の垂直分散素子等とを組み合わせて、２次元撮像装置にスペクトルを折り込んでいる。【０００３】
また、天文学観測においては、望遠鏡の大型化に伴って分光観測装置も巨大化するため、光学系の小型化が可能な透過型回折格子の開発が求められている。特に入射角（入射光と回折格子法線のなす角）と回折角（回折光と回折格子法線のなす角）が４５°の回折格子は、光軸が直角に折れ曲がるため、分光器等の光学系の配置が簡素になり、装置の小型化や光学調整の簡便さに貢献できる。【０００４】
このような状況の下、たとえば、現在建設中の３０ｍ望遠鏡（TMT）の第一期観測装置であるWFOS（Wide-Field Optical Spectrometer）では、紫外線から近赤外線の波長（３００〜１０００ｎｍ）に対して、大きな回折角（たとえば３６°〜５３°）で、高次回折光を精度良く測定可能な透過型回折格子の開発が求められている。【０００５】
しかしながら、図６のような従来の鋸歯形状（階段形状）を有する表面刻線型の透過型回折格子は、回折角が大きくなる（角度分散が大きくなる）のにしたがって、格子を満たす媒質の屈折率を大きくしなければならない。
入射角と回折角が等しい（θ2 = α+θ0）とすると、入射と出射の界面において以下のスネルの屈折の式が成立する。
【数１】
2017171072.tif 000003
式（１−２）を加法定理によって変形して、式（１−１）を代入すると、
【数２】
2017171072.tif 000004
となり、屈折率が与えられた場合の入射角と頂角の関係の式を導くことができる。【０００６】
ここで、入射角と回折角が４５°（θ０＝４５°）の場合には臨界角の制限（θ２＜９０°）から、回折格子を満たす媒質の屈折率は２．３以上とする必要がある。可視光において屈折率が２．３以上の透明な媒質はＺｎＳｅやＺｎＳ、ＴｉＯ２、ダイアモンド等に限られる。さらに、波長４００ｎｍ以下では、屈折率が２．３以上の透明な媒質はダイアモンド以外に存在しない。なお、格子を入射側と出射側の両方に配置した場合には、上記屈折率の制限は緩くなるが、光束が格子に入射しない斜面により大きくケラレるために回折効率が著しく低下してしまう。【０００７】
この問題を解決するために、図７（Ａ）に示すような厚い矩形回折格子（Volume Binary grating。以下、ＶＢ回折格子と称する）や図８（Ａ）に示すようなQuasi-Bragg回折格子（以下、ＱＢ回折格子）が提案されている。【０００８】
ＶＢ回折格子は、Ｓ偏光とＰ偏光の特性を一致させて自然光偏光に対して高い回折効率を達成しようとすると、たとえば入射角と回折角が４５°の場合に１次回折光では、畝の幅（Ｌ）に対する溝の幅（Ｓ）の比（デューティ比）を５：１、溝の幅（Ｓ）に対する深さ（ｔ）の比（アスペクト比）が１：２３程度となる。可視光の１次回折光用として、石英のＶＢ回折格子（格子周期：Λ〜０．４μｍ）の試作が非特許文献１および、数値計算が非特許文献２に報告されている。一方、２〜５次の回折光に対応するためには、デューティ比が１０：１、アスペクト比が１：２４程度となるが、全ての次数が同時に高い回折効率を達成することができない。さらに、６次以上に対応する場合にはデューティ比が２０：１、アスペクト比が１：３６程度となってしまう。【０００９】
図７（Ｂ），７（Ｃ）は、それぞれＶＢ回折格子（格子周期５μｍ、デューティ比２０：１、格子厚さ９μｍ、アスペクト比１：３６、ブラッグ角４５°、屈折率ｎ＝１．５５）のＳ偏光およびＰ偏光の回折効率を示す。ＶＢ回折格子はS偏光の効率がP偏光より低く、特に7次以下の効率の低下が著しい。【００１０】
アスペクト比が１０以上のＶＢ回折格子が製造可能な方法として、シリコンの異方性エッチングが挙げられる。しかし、シリコンは可視光において不透明な媒質である。また、可視光や紫外線用の数次から数十次のＶＢ回折格子（入射角４５°、格子周期２〜１０μｍ、デューティ比１０：１〜２０：１（すなわち溝の幅が０．１〜１μｍ）、アスペクト比が１：１０以上）の製造は、最新の半導体技術やＭＥＭＳ技術を用いても極めて困難である。【００１１】
一方、図８（Ａ）に示すようなＱＢ回折格子（特許文献１）は、ミラー基板の積層等による簡易な製作方法が提案されている（特許文献２）。しかしながら、前記のミラー基板の積層方法では格子周期Λ＝１００μｍ程度（ブラッグ角：θＢ＝４５°、波長７００ｎｍにおいて２００次）が限界であり、この方法によって近紫外線から近赤外線用の数次〜数十次（θＢ＝３６〜５３°、Λ＝２〜１０μｍ）のＱＢ回折格子を製作することは困難である。また、フォトリソグラフによって深い溝を加工する場合（特許文献１）には格子周期が概ね２〜１００μｍのＱＢ回折格子の製作が可能であるが、深い溝のフォトリソグラフは製作方法の条件出しに膨大な時間を要するため、一品物や小ロット品の製造には不向きである。【００１２】
図８（Ｂ）、８（Ｃ）は、それぞれＱＢ回折格子（格子周期Λ＝５μｍ、ブラッグ角θＢ＝４５°）のＳ偏光およびＰ偏光の回折効率を示す。ＱＢ回折格子では表面プラズモンの影響によりエネルギーが吸収されてＰ偏光またはＳ偏光のいずれかで効率が落ちる。特にＰ偏光はＳ偏光より効率が１０％程度低く、８〜９次において効率の低下が著しい。
【先行技術文献】
【特許文献】
【００１３】
【特許文献１】特許第４５３７３１８号公報
【特許文献２】特開２００７−２６４１０９号公報
【非特許文献】
【００１４】
【非特許文献１】M. C. Gupta, S. T. Peng, "Diffraction characteristics of surface-relief gratings," Appl. Opt. 32, 2911-2917 (1993)
【非特許文献２】H. J. Gerritsen, M. L. Jepsen, “Rectangular surface-relief transmission gratings with a very large first- order diffraction efficiency (95%) for unpolarized light,” Appl. Opt. 37, 5823-5829 (1998).
【発明の概要】
【発明が解決しようとする課題】
【００１５】
上述のように、従来技術では、近紫外線から近赤外線の分光計測において、比較的大きな回折角で高効率な回折格子を提供することは困難である。【００１６】
このような問題を考慮して、本発明は、大きな回折角が実現できる透過型回折格子を提供することを目的とする。
【課題を解決するための手段】
【００１７】
本発明の第一の態様は、
第１斜面と第２斜面とを含む鋸歯状の第１表面と、
平面形状の第２表面と、
を備え、
所定の入射角で前記第１表面の前記第１斜面に入射した光束が、前記第２斜面で反射し、前記第２表面から出射する、
ことを特徴とする透過型回折格子である。【００１８】
このように鋸歯状の第１表面の第１斜面から入射した光束を第２斜面において反射させることによって、回折格子を満たす媒質の屈折率が小さくても、大きな回折角を実現できる。さらに、本態様に係る回折格子は比較的容易に製造可能であるという利点もある。【００１９】
本発明において、上記の所定の入射角は２０度以上８０度以下のいずれかの角度とすることが好ましく、４５度であることがさらに好ましい。なお、入射角は第２表面の法線（回折格子法線）と入射方向のなす角度によって定義する。【００２０】
また、本発明において、前記光束が前記第２表面から出射する際の出射角（回折角）は入射角と等しい（反射型回折格子に採用されるリトロー・マウントと等価である）、ことが好ましい。出射角は、第２表面の法線と出射方向のなす角度によって定義する。入射角と回折角が等しいと像形状に歪みが生じないので好適である。【００２１】
また、本発明において、前記第１斜面および前記第２斜面が前記第２表面となす角度をそれぞれα、β（いずれも鋭角）としたときに、下記式を満たすことが好ましい。この条件を満たせば、入射角と回折角が等しくなる。
【数３】
2017171072.tif 000005
ただし、
θ０は前記光束の前記透過型回折格子への入射角、
ｎは前記透過型回折格子の屈折率、
【数４】
2017171072.tif 000006
θ５は前記光束の前記透過型回折格子の第２表面からの出射（回折）角、
Ｒは直角。【００２２】
さらに、第２斜面で反射した光束が第１斜面によってケラレず、かつ、第２斜面で反射した光束が第１斜面と平行に近い角度で伝播することが好ましい。これにより高い回折効率が実現できるためである。この条件から、第１斜面および第２斜面の傾斜を決定できる。なお、回折格子の周期は、測定対象の光の波長と回折次数によって決定できる。【００２３】
本発明において、前記光束は、前記第２斜面において全反射することが好ましい。すなわち、前記光束は臨界角を超える角度で第２斜面に入射することが好ましい。この条件を満たさない場合には、前記第２斜面に反射膜（金属膜または誘電体膜）が設けられることが好ましい。【００２４】
本発明の第二の態様は、第１斜面と第２斜面とを含む鋸歯状の第１表面と、平面形状の第２表面と、を備える透過型回折格子の使用方法である。本態様に係る使用方法は、前記第１表面の前記第１斜面に光束を入射することによって、当該光束を、前記第２斜面で反射させ、前記第２表面から出射させる、ことを特徴とする。【００２５】
本態様において、前記光束は２０度以上８０度以下のいずれかの入射角で入射されることが好ましい。また、前記光束は、前記第２斜面において全反射するように入射されることが好ましい。【００２６】
本発明の第三の態様は、第１斜面と第２斜面とを含む鋸歯状の第１表面と、平面形状の第２表面と、を備える透過型回折格子の設計方法である。本態様に係る設計方法では、前記第１斜面および前記第２斜面が前記第２表面となす角度をそれぞれα、β（いずれも鋭角）としたときに、
【数５】
2017171072.tif 000007
によって角度α、βを決定することを特徴とする。
ただし、
θ０は前記光束の前記透過型回折格子への入射角、
ｎは前記透過型回折格子の屈折率、
【数６】
2017171072.tif 000008
θ５は前記光束の前記透過型回折格子の第２表面からの出射（回折）角、
Ｒは直角、
ψは、第２斜面で反射した回折光の拡がり角度である。【００２７】
本発明は、上記に記載の透過型回折格子を備える光導波路、光学装置（分光計測装置、ラジカル計測装置）、光学システムとして捉えることができる。たとえば光多重通信（ＷＤＭ）において波長混合・弁別光学素子（光経路切替素子）としてアレイ導波路回折格子（ＡＷＧ）が用いられる。本発明は、上記の透過型回折格子をＡＷＧの代わりの上記波長混合・弁別光学素子あるいは当該透過型回折格子を上記波長混合・弁別光学素子として含む光導波路として捉えることができる。
【発明の効果】
【００２８】
本発明によれば、大きな回折角が実現できる透過型回折格子を提供できる。
【図面の簡単な説明】
【００２９】
【図１】図１は、実施形態に係る透過型回折格子の構造を説明する図である。
【図２】図２は、実施形態に係る透過型回折格子内を伝播する光束を説明する図である。
【図３】図３は、実施形態に係る透過型回折格子を伝播する光束を説明する図である。
【図４】図４（Ａ）〜図４（Ｃ）は、実施形態に係る透過型回折格子の製造方法を説明する図である。
【図５】図５（Ａ），図５（Ｂ）は、実施形態に係る透過型回折格子の回折効率の数値解析結果である。
【図６】図６は、従来技術に係る鋸歯形状の透過型回折格子を説明する図である。
【図７】図７（Ａ）は、従来技術に係るＶＢ回折格子を説明する図および、図７（Ｂ）と図７（Ｃ）は、ＶＢ回折格子の回折効率の数値解析結果である。
【図８】図８（Ａ）は、従来技術に係るＱＢ回折格子を説明する図および、図８（Ｂ）と図８（Ｃ）は、ＱＢ回折格子の回折効率の数値解析結果である。
【発明を実施するための形態】
【００３０】
以下、図面を参照しながら、本発明に係る透過型回折格子について説明する。
【００３１】
＜概略＞
図１は、本発明の実施形態に係る透過型回折格子１の構造を説明する図である。図２は、透過型回折格子１内を伝播する光束を示す図である。
【００３２】
図１に示すように、回折格子１は、鋸歯形状（階段形状）の表面刻線型の透過型回折格子である。回折格子１の一方の面１０（以下、第１表面１０と称する）は、第１斜面１１と第２斜面１２を含んで構成される。他方の面２０（以下、第２表面２０と称する）は、平面形状である。
【００３３】
図２に示すように、第１表面１０の第１斜面１１に入射した光束は、第２斜面１２で反射し、第２表面２０から出射する。このように、回折光の強度を強める方向に反射により光束を導くので、回折格子１の屈折率が小さくても、大きな回折角にも対応することができる。
【００３４】
本実施形態に係る回折格子１が計測対象とする波長および回折光の次数は、特に限定されない。波長は、10nm（紫外線)から1,000,000nm（赤外線）までの任意の波長範囲、たとえば、120〜400nm（極端紫外線10〜120nmを除く紫外線）や400〜700nm（可視光線）、700〜3,000nm（近赤外線）、3,000〜30,000nm（中間赤外線）、30,000〜1,000,000nm（遠赤外線）などを計測対象としてよい。また、次数は、１次〜数千次の適宜の範囲、たとえば、１次〜数次、１次〜数十次、数次〜数十次、数十次〜数千次などを計測対象としてよい。
【００３５】
＜形状設計＞
本実施形態に係る回折格子１は、分光計測対象の光の波長および回折光の次数、入射角、および回折角に応じて、適切な形状が決定される。以下では、上記のパラメータが与えられた際の回折格子１の形状を説明する。
【００３６】
なお、以下の説明では、図１に示すように、第１斜面１１と第２表面２０がなす角度をα、第２斜面１２と第２表面２０がなす角度をβ、第１斜面１１と第２斜面１２がなす角度をγ（＝２Ｒ−α−β）と表す。また、第１表面１０の格子ピッチをΛ、格子の高さをｔと表す。また、回折格子１を満たす媒質の屈折率をｎと表す。
【００３７】
まず、図３を参照して、第１斜面１１および第２斜面１２の角度α、βの設計方法について説明する。光束の入射光の入射角がθ０、回折角がθ５と与えられたものとする。なお、入射角θ０および回折角θ５は、いずれも第２表面２０（平面）の法線とのなす角度によって定義される。
【００３８】
第１斜面１１における屈折の式より、以下の式（２−１）（２−２）が成立する。
【数７】
2017171072.tif 000009
【００３９】
また、三角形ＡＢＥ、ＢＤＦの内角の和より、以下の式（２−３）（２−４）が成立する。
【数８】
2017171072.tif 000010
【００４０】
また、第２表面２０における屈折の式より、以下の式（２−５）が成立する。
【数９】
2017171072.tif 000011
【００４１】
式（２−２）と式（２−１）、（２−３）、（２−４）を代入すると、
【数１０】
2017171072.tif 000012
が得られる。なお、Ｒは直角（９０°）であり、θ４は式（２−５）より、
【数１１】
2017171072.tif 000013
である。
【００４２】
このように、回折格子１に対する入射角θ０および回折角θ５が定まると、第１斜面１１および第２斜面１２の角度α、βの関係が定まる。角度α、βは式（２−６）を満たす範囲で設定すればよいが、第２斜面１２で反射した光束が第１斜面１１とほぼ平行に伝播することが好ましい。この条件は、以下の式（２−７）のように表せる。
【数１２】
2017171072.tif 000014
【００４３】
ただし、回折光はある程度の拡がりを持つ（たとえば、±２．５°）ので、第２斜面１２で反射した光束が第１斜面１１でケラレないように、第１斜面１１の角度αは式（２−７）で求められる角度よりも小さくすることが好ましい。角度αは、第２斜面１２で反射した光束（計測対象の次数の回折光）が第１斜面１１にケラレず、かつ、式（２−７）の値に最も近いことが好適である。具体的には、角度αは以下の式（２−７’）の値に近いほど好ましい。
【数１３】
2017171072.tif 000015
ただし、φは回折光の拡がり角度である。
【００４４】
角度αが決定すると、式（２−６）を変形した下記の式（２−８）から角度βを決定できる。
【数１４】
2017171072.tif 000016
【００４５】
格子のピッチΛは、ブラッグの条件式
【数１５】
2017171072.tif 000017
を満たすように、分光計測対象の光の波長λと回折次数ｍの範囲に応じて決定すればよい。第１斜面１１および第２斜面１２の角度α、βと格子ピッチΛが決まれば、格子の高さｔは決定される。
【００４６】
なお、第２斜面１２に対する光束の入射角が臨界角を超える場合には全反射する。しかしながら、この入射角が臨界角以内である場合には全反射しないので、この場合には第２斜面１２に金属膜または誘電体膜の反射膜を設けることが好ましい。
【００４７】
＜設計例＞
以下、入射角および回折角が４５°であり、格子および基板の屈折率がｎ＝１．５４の場合の、回折格子１の形状を説明する。なお、入射角および回折角が等しいと、像形状に歪みが生じないので好適である。また、入射角および回折角が４５°で等しいと、光軸が直角に折れ曲がるため光学系の配置の簡素化につながり、さらに好ましい。
【００４８】
θ０＝θ５＝４５°、ｎ＝１．５４、および式（２−５’）より、θ４＝２７．３３°、式（２−７）より、α＝６２．６７°である。
【００４９】
しかしながら、回折角はθ5±２．５°なので、光束が第１斜面１１でケラレないためには、式（２−７’）より、
【数１６】
2017171072.tif 000018
を満たす必要がある。すなわち、角度αは６２．６７°よりも、１．２７°（＝６２．６７°−６１．４０°）以上小さくなる。
また、α＝６１．４０°とすると式（８）より、β＝７８．２５°が求められる。
【００５０】
この場合、θ３＝５０．９°＞ｓｉｎ−１（１／１．５４）＝４０．４°なので、第２斜面１２において全反射する。したがって、第２斜面１２に反射膜を設ける必要はない。
【００５１】
格子周期Λと回折次数ｍは分光器に用いられる２次元撮像検出器のサイズや分解能、波長帯域幅、スリットの高さ等を考慮して設計される。具体的には格子周期Λが５μｍの回折格子を用いて、入射角と回折角が４５°、波長３００〜１０００ｎｍを同時に分光計測する場合に、式（２−９）より、
mλ=5000× (2×sin 45°)  [nm]
であるから、回折次数を求めるとｍ＝７〜２３次となる。より大きな回折次数に対応するためには格子周期Λをより大きくすればよく、より小さな回折次数に対応するためには格子周期Λをより小さくすればよい。
【００５２】
なお、入射角θ０と回折角θ５が等しく、回折格子の屈折率がｎ＝１．５４のときに、入射角θ０に応じた、第１斜面１１および第２斜面１２の角度α、β、第２斜面１２における反射角θ３を求めると以下のようになる。
【表１】
2017171072.tif 000019
【００５３】
＜製造方法＞
以下、図４（Ａ）〜図４（Ｃ）を参照して、本実施形態に係る透過型回折格子の製造方法を説明する。なお、以下の説明は、本実施形態に係る透過型回折格子が製造可能なことを示すことを目的とするものであり、その製造方法を限定することを目的とするものではない。
【００５４】
まず、ガラス、金属、またはセラミックスの基板の表面に厚さ１０μｍ程度の無電界ニッケル・リンメッキが施されたワーク１０１を用意する。このワーク１０１に対して、図４（Ａ）に示すように、作製する回折格子の溝の角度に合わせたダイアモンドバイト１０２を超精密加工機に取り付けて切削（シェーパー）加工によりマスター格子１０３を製作する。
【００５５】
次に、図４（Ｂ）に示すように、マスター格子１０３の表面に離型剤を塗布して紫外線硬化型あるいは２液性硬化型の透明樹脂１０４を流し込み、ガラス基板１０５を密着させる。ガラス基板１０５の表面にはシランカップリング剤等を塗布して樹脂１０４との結合を強くすることが好ましい。
【００５６】
ガラス基板１０５と樹脂１０４のレプリカ格子１０６をマスター格子１０５から剥離することにより、図４（Ｃ）に示すように、本実施形態に係る透過型回折格子１０６が完成する。
【００５７】
無電界のニッケル・リンメッキは非晶質であり、切削加工による精密光学素子用の金型素材として優れている。また、精密加工装置と単結晶ダイアモンド工具を用いたシェーパ加工は刃先形状を極めて精度良く転写できるため、本実施形態の回折格子の金型製作に好適である。
【００５８】
＜実験結果＞
数値シミュレーションによって求められる回折光の効率を説明する。ここでは、以下の形状を有する透過型回折格子を対象に、厳密結合波解析（RCWA）法を用いたシミュレーションを行った。
α＝６１．６６°
β＝８８．２°
Λ＝５μｍ
ｎ＝１．５４
計算次数：±５０次
【００５９】
図５（Ａ）はＳ偏光波、図５（Ｂ）はＰ偏光波の各次数の効率を示す図である。図では、４次（長波長側）〜２３次（短波長側）のグラフが描かれている。紫外線から近赤外線（３００〜２０００ｎｍ）の波長について、全ての次数にわたりＳ偏光波およびＰ偏光波の両方で８０％前後の効率が得られることが分かる。
【００６０】
＜補足説明＞
格子の設計方法の説明において、幾何光学に基づく説明をしたが、ＲＣＷＡ（Rigorous Coupled-Wave Analysis：厳密結合波解析）のような手法を用いて設計してもよいことは当業者であれば理解できるであろう。
【００６１】
また、第１斜面１１に入射した光束が第２斜面１２で反射するという条件を満たせば、必ずしも上記で説明した形状を取る必要はない。たとえば、第１斜面１１と第２斜面の交わる部分は丸みを帯びていても良いし、第１斜面、第２斜面、あるいは第２表面は完全な平面ではなくても良い。
【００６２】
また、上記の説明では真空中あるいは空気中での利用（屈折率＝１）を想定しているが、必ずしもその必要はない。回折格子が真空または空気以外と接していても構わない。その場合も上記と同様の手法によって形状の設計が可能である。
【００６３】
本実施形態にかかる透過型回折格子は、エシェル分光計測のための分散光学素子として利用できる以外に、波長多重光通信（ＷＤＭ：Wavelength Division Multiplexing）の合波・分波素子や光コンピューティング用の導波路中の回折格子、としても好適に利用可能である。具体的にはＷＤＭにおいて波長混合・弁別光学素子（光経路切替素子）として使用されるアレイ導波路回折格子（ＡＷＧ：Arrayed Waveguide Grating）のような回折格子として利用できる。
【００６４】
本実施経形態にかかる透過型回折格子は、さらに格子周期を数10μm〜100mm程度とすれば、回折格子としてではなく、外光を天井や部屋の奥に導いて照明として利用する機能性の省エネ窓等の応用も可能である。
【符号の説明】
【００６５】
１・・透過型回折格子
１０・・第１表面
１１・・第１斜面
１２・・第２斜面
２０・・第２表面
【図１】
2017171072.tif 000024
【図２】
2017171072.tif 000025
【図３】
2017171072.tif 000026
【図４】
2017171072.tif 000027
【図５】
2017171072.tif 000028
【図６】
2017171072.tif 000029
【図７】
2017171072.tif 000030
【図８】
2017171072.tif 000031
【国際調査報告】
2017171072.tif 000032
2017171072.tif 000033